(57)【要約】  フェムト基地局装置に対するオペレーション制御において、必要なときに必要な装置のみにファイルの更新を行い、ネットワークの帯域圧迫を防ぐ。フェムト基地局装置についてオペレーション制御を行う前に、そのオペレーション制御に必要なファイルのバージョン情報を取得する。この取得されたバージョン情報が、記憶部に記憶されているファイルのバージョン情報と一致するかの確認を行い、一致が確認された場合には、オペレーション制御を行う。一方、バージョン確認部によってバージョン情報の不一致が確認された場合、オペレーション制御に必要なバージョンのファイルを取得し、ファイル更新を実施する。
2013121761.tif 000002
【特許請求の範囲】
【請求項１】
オペレーション制御に必要なファイルを、そのファイルのバージョンを示すバージョン情報と共に記憶する記憶部と、
オペレーション制御を行う前に、そのオペレーション制御に必要なファイルのバージョン情報を取得するバージョン情報取得部と、
前記バージョン情報取得部によって取得されたバージョン情報が、前記記憶部に記憶されているファイルのバージョン情報と一致するかの確認を行うバージョン確認部と、
前記バージョン確認部によってバージョン情報の一致が確認された場合に、オペレーション制御を行うオペレーション制御部と、
を含むことを特徴とするフェムト基地局装置。
【請求項２】
前記バージョン確認部によってバージョン情報の不一致が確認された場合、前記オペレーション制御に必要なバージョンのファイルを取得するファイル取得部を更に含むことを特徴とする請求項１に記載のフェムト基地局装置。
【請求項３】
前記バージョン情報取得部は、前記オペレーション制御を行う前に通知されるファイルバージョン情報によって、そのオペレーション制御に必要なファイルのバージョン情報を取得することを特徴とする請求項１に記載のフェムト基地局装置。
【請求項４】
前記バージョン情報取得部は、前記オペレーション制御を行う前に通知されるファイルバージョン情報によって、そのオペレーション制御に必要なファイルのバージョン情報を取得することを特徴とする請求項２に記載のフェムト基地局装置。
【請求項５】
前記バージョン情報取得部は、前記オペレーション制御を行うためのオペレーション制御指示に含まれているファイルバージョン情報によって、そのオペレーション制御に必要なファイルのバージョン情報を取得することを特徴とする請求項１に記載のフェムト基地局装置。
【請求項６】
前記バージョン情報取得部は、前記オペレーション制御を行うためのオペレーション制御指示に含まれているファイルバージョン情報によって、そのオペレーション制御に必要なファイルのバージョン情報を取得することを特徴とする請求項２に記載のフェムト基地局装置。
【請求項７】
前記バージョン情報取得部は、オペレーション制御や致命的なセキュリティの改善などを実施した場合にアップするメジャーバージョン情報と、オペレーション制御や致命的なセキュリティの改善などを含まない簡易なバージョンアップ時のみにアップするマイナーバージョン情報からなるバージョン情報とを取得し、
前記バージョン確認部は、前記バージョン情報取得部によって取得された前記メジャーバージョン情報のみが、前記記憶部に記憶されているファイルのメジャーバージョン情報と一致するかの確認を行うことを特徴とする請求項１に記載のフェムト基地局装置。
【請求項８】
前記バージョン情報取得部は、オペレーション制御や致命的なセキュリティの改善などを実施した場合にアップするメジャーバージョン情報と、オペレーション制御や致命的なセキュリティの改善などを含まない簡易なバージョンアップ時のみにアップするマイナーバージョン情報からなるバージョン情報とを取得し、
前記バージョン確認部は、前記バージョン情報取得部によって取得された前記メジャーバージョン情報のみが、前記記憶部に記憶されているファイルのメジャーバージョン情報と一致するかの確認を行うことを特徴とする請求項２に記載のフェムト基地局装置。
【請求項９】
前記バージョン情報取得部は、オペレーション制御や致命的なセキュリティの改善などを実施した場合にアップするメジャーバージョン情報と、オペレーション制御や致命的なセキュリティの改善などを含まない簡易なバージョンアップ時のみにアップするマイナーバージョン情報からなるバージョン情報とを取得し、
前記バージョン確認部は、前記バージョン情報取得部によって取得された前記メジャーバージョン情報のみが、前記記憶部に記憶されているファイルのメジャーバージョン情報と一致するかの確認を行うことを特徴とする請求項３に記載のフェムト基地局装置。
【請求項１０】
前記バージョン情報取得部は、オペレーション制御や致命的なセキュリティの改善などを実施した場合にアップするメジャーバージョン情報と、オペレーション制御や致命的なセキュリティの改善などを含まない簡易なバージョンアップ時のみにアップするマイナーバージョン情報からなるバージョン情報とを取得し、
前記バージョン確認部は、前記バージョン情報取得部によって取得された前記メジャーバージョン情報のみが、前記記憶部に記憶されているファイルのメジャーバージョン情報と一致するかの確認を行うことを特徴とする請求項４に記載のフェムト基地局装置。
【請求項１１】
前記バージョン情報取得部は、オペレーション制御や致命的なセキュリティの改善などを実施した場合にアップするメジャーバージョン情報と、オペレーション制御や致命的なセキュリティの改善などを含まない簡易なバージョンアップ時のみにアップするマイナーバージョン情報からなるバージョン情報とを取得し、
前記バージョン確認部は、前記バージョン情報取得部によって取得された前記メジャーバージョン情報のみが、前記記憶部に記憶されているファイルのメジャーバージョン情報と一致するかの確認を行うことを特徴とする請求項５に記載のフェムト基地局装置。
【請求項１２】
前記バージョン情報取得部は、オペレーション制御や致命的なセキュリティの改善などを実施した場合にアップするメジャーバージョン情報と、オペレーション制御や致命的なセキュリティの改善などを含まない簡易なバージョンアップ時のみにアップするマイナーバージョン情報からなるバージョン情報とを取得し、
前記バージョン確認部は、前記バージョン情報取得部によって取得された前記メジャーバージョン情報のみが、前記記憶部に記憶されているファイルのメジャーバージョン情報と一致するかの確認を行うことを特徴とする請求項６に記載のフェムト基地局装置。
【請求項１３】
フェムト基地局装置についてオペレーション制御を行うオペレーションシステムであって、
オペレーション制御を行う前に、そのオペレーション制御に必要なファイルのバージョン情報を、請求項１から請求項１２までのいずれか１項に記載のフェムト基地局装置へ送信するファイルバージョン情報送信部と、
前記フェムト基地局装置へオペレーション制御指示を送信するオペレーション制御部と
を含むことを特徴とするオペレーションシステム。
【発明の詳細な説明】
【技術分野】
【０００１】
本発明は、エリア補間等を目的として設置される無線通信装置である、フェムト基地局装置、オペレーション制御を指示するオペレーションシステム、オペレーション制御方法に関する。
【背景技術】
【０００２】
移動体通信システムにおいては、移動体通信ネットワークを構成する装置の監視や制御などを行うためのオペレーションシステムが導入されることがある（例えば、非特許文献１）。このオペレーションシステムを導入することにより、遠隔地にある無線基地局装置などの監視や制御を行うことができる。【０００３】
ところで、無線通信装置として、移動体通信のサービスエリア補間等を目的として設置される基地局としてフェムト基地局装置（フェムトセル基地局装置と呼ばれることもある）が知られている。このフェムト基地局装置について、設定の更新を行う技術が特許文献１に記載されている。特許文献１では、フェムトセル基地局装置が設定値を受信し、設定値に基づいて自局の設定を更新している。【０００４】
また、ファームウェアの更新に関する技術として、非特許文献２が知られている。非特許文献２には、ファームウェアの更新種別を「自動更新」に設定した場合、最新のファームウェアが提供されると、あらかじめ設定されている時間に自動的にファームウェアの更新を行うことが記載されている。
【先行技術文献】
【特許文献】
【０００５】
【特許文献１】特開２０１１−１２００９５号公報
【非特許文献】
【０００６】
【非特許文献１】「オペレーションシステム特集  ドコモにおけるオペレーションシステムの開発動向−ネットワークの効率的運用、サービス品質の向上に向けて−」、ＮＴＴｄｏｃｏｍｏテクニカルジャーナル、[平成２４年１月４日検索]、インターネット＜ＵＲＬ：http://www.nttdocomo.co.jp/binary/pdf/corporate/technology/rd/technical_journal/bn/vol8_1/vol8_1_006jp.pdf＞
【非特許文献２】「ＰＲ−２００ｎｅ ルーター設定マニュアル ファームウェア更新」、[平成２４年１月４日検索]、インターネット＜ＵＲＬ：http://router.ipq.jp/pr-200ne/post_363.html＞
【発明の概要】
【発明が解決しようとする課題】
【０００７】
ところで、フェムト基地局装置は、ユーザ宅に設置されることが多いため、キャリアすなわち電気通信事業者が簡単にアクセスすることは難しい。また、フェムト基地局装置については、ユーザが装置の電源オンオフを行うことがあり、電源断や設置等を無線通信事業者がコントロールすることが難しい。このため、フェムト基地局装置のようにユーザが電源オフ操作をしてしまう場合など、キャリアすなわち電気通信事業者がコントロールできない電源断が発生してしまう場合がある。このような場合、希望したタイミングでファイル更新をすることができず、古い版数（古いバージョン）での運用が継続される可能性がある。【０００８】
ここで、周期的にファイル版数（バージョン情報）を確認することも考えられるが、そのようにしても周期タイミングの間にオペレーション制御などを実施しようとした場合には制御を正常に実施できない可能性がある。また、このような事象を避けるために、周期期間を短くする考えもあるが、フェムト基地局は数万単位で設置される可能性があるため、実運用上ネットワーク帯域を圧迫してしまい現実的に運用することは難しい。【０００９】
このように、上記課題を解決するため、必要な装置にオペレータが手動でファイル更新を行う場合、数万というフェムト基地局装置に対してオペレーション制御を実施しなければならないため、かなりの手間を要することになる。仮に遠隔で自動的にオペレーション制御を行うシステムを構築していた場合でも、ネットワークの空き状況や更新時間などを考慮した指示（プログラムまたはシナリオ）をオペレータが人手で行う必要がある。【００１０】
本発明は、このような点に鑑みてなされたものであり、必要なときに必要な装置のみに更新をかけ、ネットワークの帯域圧迫を防ぐことのできるフェムト基地局装置、オペレーションシステム、オペレーション制御方法を提供することを目的とする。
【課題を解決するための手段】
【００１１】
以上の課題を解決するため、本発明の一態様によるフェムト基地局装置は、オペレーション制御に必要なファイルを、そのファイルのバージョンを示すバージョン情報と共に記憶する記憶部と、オペレーション制御を行う前に、そのオペレーション制御に必要なファイルのバージョン情報を取得するバージョン情報取得部と、前記バージョン情報取得部によって取得されたバージョン情報が、前記記憶部に記憶されているファイルのバージョン情報と一致するかの確認を行うバージョン確認部と、前記バージョン確認部によってバージョン情報の一致が確認された場合に、オペレーション制御を行うオペレーション制御部と、を含むことを特徴とする。このような構成によれば、オペレーション前に自動でファイルバージョン確認を行い、必要なときに必要な装置のみに更新をかけることができるので、ネットワークの帯域圧迫を防ぐことができる。【００１２】
また、前記バージョン確認部によってバージョン情報の不一致が確認された場合、前記オペレーション制御に必要なバージョンのファイルを取得するファイル取得部を更に含んでいてもよい。このような構成によれば、オペレーション前に自動でファイルバージョン確認を行い、ファイルバージョンが異なる場合は、ファイル更新を実施することにより、必要なときに必要な装置のみに更新をかけることができるので、ネットワークの帯域圧迫を防ぐことができる。【００１３】
さらに、前記バージョン情報取得部は、前記オペレーション制御を行う前に通知されるファイルバージョン情報によって、そのオペレーション制御に必要なファイルのバージョン情報を取得するのが望ましい。このような構成によれば、オペレーション前に自動でファイルバージョン確認を行い、必要なときに必要な装置のみに更新をかけることができるので、ネットワークの帯域圧迫を防ぐことができる。【００１４】
また、前記バージョン情報取得部は、前記オペレーション制御を行うためのオペレーション制御指示に含まれているファイルバージョン情報によって、そのオペレーション制御に必要なファイルのバージョン情報を取得するのが望ましい。このような構成によれば、オペレーション制御指示に、ファイルバージョン情報を含めて送信するため、オペレーションシステムとフェムト基地局装置との間の信号授受回数が少なくて済み、ネットワークの帯域圧迫をさらに防ぐことができる。【００１５】
さらに、前記バージョン情報取得部は、オペレーション制御や致命的なセキュリティの改善などを実施した場合にアップするメジャーバージョン情報と、オペレーション制御や致命的なセキュリティの改善などを含まない簡易なバージョンアップ時のみにアップするマイナーバージョン情報からなるバージョン情報とを取得し、前記バージョン確認部は、前記バージョン情報取得部によって取得された前記メジャーバージョン情報のみが、前記記憶部に記憶されているファイルのメジャーバージョン情報と一致するかの確認を行うのが望ましい。このような構成によれば、ファイルバージョンのうちメジャーバージョンが異なる場合は、ファイル更新を実施し、マイナーバージョンが異なる場合はファイル更新を実施しないことにより、必要なときに必要な装置のみに更新をかけることができるので、ネットワークの帯域圧迫をさらに防ぐことができる。【００１６】
本発明の一態様によるオペレーションシステムは、フェムト基地局装置についてオペレーション制御を行うオペレーションシステムであって、オペレーション制御を行う前に、そのオペレーション制御に必要なファイルのバージョン情報を、上記のフェムト基地局装置へ送信するファイルバージョン情報送信部と、前記フェムト基地局装置へオペレーション制御指示を送信するオペレーション制御部とを含むことを特徴とする。このような構成によれば、オペレーション前に自動でファイルバージョン確認を行い、必要なときに必要な装置のみに更新をかけることができるので、ネットワークの帯域圧迫を防ぐことができる。【００１７】
また、前記オペレーション制御に必要なファイルのバージョン情報が、前記フェムト基地局装置に記憶されているバージョン情報と一致していない場合に、前記オペレーション制御に必要なバージョン情報のファイルを、前記フェムト基地局装置に送信するファイル送信部を更に含んでいてもよい。このような構成によれば、オペレーション前に自動でファイルバージョン確認を行い、ファイルバージョンが異なる場合は、ファイル更新を実施することにより、必要なときに必要な装置のみに更新をかけることができるので、ネットワークの帯域圧迫を防ぐことができる。【００１８】
本発明の一態様によるオペレーション制御方法は、フェムト基地局装置のオペレーション制御を行う前に、そのオペレーション制御に必要なファイルのバージョン情報を前記フェムト基地局装置へ送信する第１ステップと、前記オペレーション制御に必要なファイルのバージョン情報が、前記フェムト基地局装置に記憶されているバージョン情報と一致していない場合に、前記オペレーション制御に必要なバージョン情報のファイルを、前記フェムト基地局装置に送信する第２ステップと、を含むことを特徴とする。このような構成によれば、オペレーション前に自動でファイルバージョン確認を行い、必要なときに必要な装置のみに更新をかけることができるので、ネットワークの帯域圧迫を防ぐことができる。
【発明の効果】
【００１９】
本発明によれば、オペレーション前に自動でファイルバージョン確認を行い、ファイルバージョンが異なる場合は、ファイル更新を実施することにより、必要なときに必要な装置のみに更新をかけることができるので、ネットワークの帯域圧迫を防ぐことができる。また、ファイルバージョンが異なる場合は、オペレーション前にファイル更新を実施することにより、必ずオペレーション実行時には最新ファイルとなっており、フェムト基地局装置に対して最新ファイルバージョンでの制御を実施することができる。
【図面の簡単な説明】
【００２０】
【図１】本発明の一実施形態によるフェムト基地局装置を含むネットワークの構成例を示す図である。
【図２】図１中のフェムト基地局装置の構成例を示す図である。
【図３】図１中のオペレーションシステムの構成例を示す図である。
【図４】フェムト基地局装置およびオペレーションシステムの第１動作例を示す図である。
【図５】フェムト基地局装置およびオペレーションシステムの第２動作例を示す図で ある。
【図６】フェムト基地局装置およびオペレーションシステムの第３動作例を示す図である。
【発明を実施するための形態】
【００２１】
以下、本発明の実施の形態を、図面を参照して説明する。なお、以下の説明において参照する各図では、他の図と同等部分は同一符号によって示されている。
（フェムト基地局装置を含むネットワーク全体の構成例）
図１は、本発明の一実施形態によるフェムト基地局装置を含むネットワークの構成例を示す図である。図１において、本実施形態によるフェムト基地局装置を含むネットワークは、携帯電話網ＮＷと、この携帯電話網ＮＷに接続されたオペレーションシステム（Operation System；以下、ＯＰＳと呼ぶ）２と、フェムト基地局装置１とを備えている。携帯電話網ＮＷとフェムト基地局装置１との間は、本例では、ＯＮＵ（Optical Network Unit）４１および４２を介して、光回線によって接続されている。なお、携帯電話網ＮＷとフェムト基地局装置１との間が光回線によって接続されていない場合についても本発明を適用することができる。
【００２２】
フェムト基地局装置１にはフェムトセルを形成するためのアンテナが設けられている。このフェムト基地局装置１によって実現されるフェムトセル内に位置している場合に、移動通信端末装置３は携帯電話網ＮＷによるサービスの提供を受けることができる。すなわち、移動通信端末装置３は、フェムト基地局装置１によって形成されるフェムトセルに在圏している場合、携帯電話網ＮＷを介して他の装置（図示せず）と通信を行うことができる。
【００２３】
（フェムト基地局装置の機能構成例）
図２は、図１中のフェムト基地局装置１の構成例を示す図である。
図２において、本例のフェムト基地局装置１は、他の装置との間の通信を制御する通信制御部１１と、各種情報を記憶するための記憶部１２と、オペレーション制御を行う前に、そのオペレーション制御に必要なファイルのバージョン情報を取得するバージョン情報取得部１３と、バージョン情報取得部１３によって取得されたバージョン情報が、記憶部１２に記憶されているファイルのバージョン情報と一致するかの確認を行うバージョン確認部１４と、バージョン確認部１４によってバージョン情報の一致が確認された場合に、オペレーション制御を行うオペレーション制御部１６と、を備えている。
【００２４】
ここで、オペレーション制御とは、フェムト基地局装置のサービスを行う上で、キャリアすなわち電気通信事業者がフェムト基地局装置のリセット制御やアプリケーション更新を行うことをいう。また、リセット制御とは、フェムト基地局装置が異常になった場合の復旧や更新したファイルの反映の為に、電源を一度オフ状態とし、再度電源をオン状態にすることをいう。また、ファイル更新とは、フェムト基地局装置の機能追加のために、ソフトウェアをアップデートすることをいう。
【００２５】
また、図２において、本例のフェムト基地局装置１は、バージョン確認部１４によってバージョン情報の不一致が確認された場合、オペレーション制御に必要なバージョンのファイルを取得するファイル取得部１５を、さらに備えている。
記憶部１２には、オペレーション制御に必要なファイルが、そのファイルのバージョンを示すバージョン情報と共に記憶されている。
なお、上記各部の機能は、例えば、ＣＰＵがプログラムを実行することなどによって実現される。
【００２６】
（ＯＰＳの機能構成例）
図３は、図１中のＯＰＳ２の構成例を示す図である。
図３において、ＯＰＳ２は、他の装置との間の通信を制御する通信制御部２１と、各種情報を記憶するための記憶部２２と、フェムト基地局装置１へオペレーション制御指示を送信するオペレーション制御部２３と、オペレーション制御を行う前に、そのオペレーション制御に必要なファイルのバージョン情報をフェムト基地局装置１へ送信するファイルバージョン情報送信部２４と、を備えている。
【００２７】
また、図３において、本例のＯＰＳ２は、オペレーション制御に必要なファイルのバージョン情報が、フェムト基地局装置１に記憶されているバージョン情報と一致していない場合に、オペレーション制御に必要なバージョン情報のファイルを、フェムト基地局装置１に送信するファイル送信部２５を、さらに備えている。
記憶部２２には、オペレーション制御に必要なファイルのバージョン情報が記憶されている。
なお、上記各部の機能は、例えば、ＣＰＵがプログラムを実行することなどによって実現される。
【００２８】
（ファイルのバージョン）
オペレーション制御に必要なファイルについて、そのバージョン情報として、メジャーバージョンとマイナーバージョンとを持つようにし、メジャーバージョンのみアップした場合のみ、ファイルを自動で修正するように設定するようにしてもよい（後述する第３動作例）。こうすることにより、オペレーションシステムからの制御内容が変わるファイルや、致命的なセキュリティ問題時のみファイル更新を行うように制御することが可能である。そして、マイナーバージョンの変更は、保守者による介在が行われる場合にのみ実施する、などの運用が考えられる。
【００２９】
このようにすれば、ファイルのアップグレード版数が頻繁に上がった場合でも、本当に必要なときのみファイル更新を行うようにすることができ、ファイル更新頻度を減らしてネットワーク負荷を低減することができる。
ここで、「メジャーバージョン」とは、オペレーション制御や、致命的なセキュリティの改善などを実施した場合にアップするバージョンである。メジャーバージョンが古いとオペレーションからの制御が実施できない場合がある。
また、「マイナーバージョン」とは、オペレーション制御や致命的なセキュリティの改善などを含まない簡易なバージョンアップ時のみにアップするバージョンである。
【００３０】
（第１動作例）
フェムト基地局装置１およびＯＰＳ２の第１動作例について、図４を参照して説明する。図４は、フェムト基地局装置１とＯＰＳ２との間の信号授受、ならびに、フェムト基地局装置１の動作およびＯＰＳ２の動作例を示す図である。フェムト基地局装置１の動作については、ＯＰＳ２とのインタフェース部分（ＯＰＳ  ＩＦ部分）の動作を中心に説明する。
【００３１】
最初に、ＯＰＳ２において、ファイル登録処理が行われる（ステップＳ４０１）。このファイル登録処理は、ファイル版数（すなわちファイルバージョン情報）の登録処理と、オペレーション制御に必要なファイル（データ）の登録処理と、を含む。このファイル登録処理においては、ファイルバージョン情報およびオペレーション制御に必要なファイルが、記憶部２２に格納されることによって行われる。
【００３２】
次に、オペレーション制御を実施するため（ステップＳ４０２）、ＯＰＳ２のファイルバージョン情報送信部２４は、フェムト基地局装置１へ、ファイルバージョン情報の通知を送信する（ステップＳ４０３）。フェムト基地局装置１においては、通信制御部１１がファイルバージョン情報の通知を受信すると、バージョン情報取得部１３が記憶部１２から、オペレーション制御に必要なファイルのバージョン情報を取得し、この取得したバージョン情報と通知されたファイルバージョン情報とが一致するかの確認をバージョン確認部１４が行う（ステップＳ４０４）。
【００３３】
バージョン確認部１４による確認の結果、通知されたバージョン情報と記憶部１２に記憶されているファイルのバージョン情報とが一致している場合、一致していることをＯＰＳ２に通知するため、フェムト基地局装置１の通信制御部１１は、ファイルバージョン通知応答を「ＯＫ」としてＯＰＳ２へ送信する（ステップＳ４０４→Ｓ４０５）。ＯＰＳ２においては、通信制御部２１によって、このファイルバージョン通知応答を受信すると、オペレーション制御部２３によってオペレーション制御指示を送信する（ステップＳ４０６）。
【００３４】
フェムト基地局装置１においては、通信制御部１１によってオペレーション制御指示を受信すると、オペレーション制御部１６によって、ファイル更新中でなく、かつ、オペレーション制御に対応したファイルバージョンであると判断された場合に限り（ステップＳ４０７→Ｓ４０９）、オペレーション制御が行われる（ステップＳ４１１）。
【００３５】
オペレーション制御部１６によって、ファイル更新中であると判断された場合、通信制御部１１は、オペレーション制御応答を「ファイル更新中ＮＧ」としてＯＰＳ２へ送信する（ステップＳ４０７→Ｓ４０８）。また、オペレーション制御部１６によって、オペレーション制御に対応したファイルバージョンでないと判断された場合、通信制御部１１は、オペレーション制御応答を「ファイル版数ＮＧ」としてＯＰＳ２へ送信する（ステップＳ４０９→Ｓ４１０）。
【００３６】
ステップＳ４０４によるバージョン確認部１４による確認の結果、通知されたバージョン情報と記憶部１２に記憶されているファイルのバージョン情報とが一致していない場合（不一致である場合）、不一致であることをＯＰＳ２に通知するため、フェムト基地局装置１の通信制御部１１は、ファイルバージョン通知応答を「ＮＧ」としてＯＰＳ２へ送信する（ステップＳ４０４→Ｓ４１２）。続いて、ファイル取得部１５によって、オペレーション制御に必要なバージョンのファイルを取得するための要求を送信する（ステップＳ４１３）。この要求は、例えば、周知のＦＴＰ（File Transfer Protocol）によって行われる。その後、通信中である場合は、所定時間の待ち合わせ（Time Wait）を行った後（ステップＳ４１４→Ｓ４１５）、通信中でなくなるとファイル更新処理が行われる（ステップＳ４１４→Ｓ４１６）。
【００３７】
更新されたファイルは、そのファイルのバージョンを示すバージョン情報と共に記憶部１２に記憶される。
以上の第１動作例によれば、オペレーション前に自動でファイルバージョン確認を行い、ファイルバージョンが異なる場合は、ファイル更新を実施することにより、必要なときに必要な装置のみに更新をかけることができるので、ネットワークの帯域圧迫を防ぐことができる。
【００３８】
（第２動作例）
フェムト基地局装置１およびＯＰＳ２の第２動作例について、図５を参照して説明する。図５は、フェムト基地局装置１とＯＰＳ２との間の信号授受、ならびに、フェムト基地局装置１の動作およびＯＰＳ２の動作例を示す図である。フェムト基地局装置１の動作については、ＯＰＳ２とのインタフェース部分（ＯＰＳ  ＩＦ部分）の動作を中心に説明する。
【００３９】
第２動作例では、ＯＰＳ２からフェムト基地局装置１へのオペレーション制御指示に、ファイルバージョン情報を含めて送信する。フェムト基地局装置１がファイルバージョン情報を認識できれば、ヘッダ、ペイロードのいずれにファイルバージョン情報を含めてもよい。
最初に、ＯＰＳ２において、ファイル登録処理が行われる（ステップＳ４０１）。このファイル登録処理は、ファイル版数（すなわちファイルバージョン情報）の登録処理と、オペレーション制御に必要なファイル（データ）の登録処理と、を含む。このファイル登録処理においては、ファイルバージョン情報およびオペレーション制御に必要なファイルが、記憶部２２に格納されることによって行われる。以上は、第１動作例の場合と同様である。 
【００４０】
次に、オペレーション制御を実施するため（ステップＳ４０２）、ＯＰＳ２のオペレーション制御部２３は、フェムト基地局装置１へ、ファイルバージョン情報を含むオペレーション制御指示を送信する（ステップＳ４０３ａ）。フェムト基地局装置１においては、通信制御部１１がファイルバージョン情報を含むオペレーション制御指示を受信すると、バージョン情報取得部１３が記憶部１２から、オペレーション制御に必要なファイルのバージョン情報を取得し、この取得したバージョン情報と通知されたファイルバージョン情報とが一致するかの確認をバージョン確認部１４が行う（ステップＳ４０４）。
【００４１】
バージョン確認部１４による確認の結果、通知されたバージョン情報と記憶部１２に記憶されているファイルのバージョン情報とが一致している場合、一致していることをＯＰＳ２に通知するため、フェムト基地局装置１の通信制御部１１は、オペレーション制御応答を「受付ＯＫ」としてＯＰＳ２へ送信する（ステップＳ４０４→Ｓ４０５ａ）。その後、オペレーション制御部１６によって、オペレーション制御が行われる（ステップＳ４１１ａ）。
【００４２】
ステップＳ４０４によるバージョン確認部１４による確認の結果、通知されたバージョン情報と記憶部１２に記憶されているファイルのバージョン情報とが一致していない場合（不一致である場合）、不一致であることをＯＰＳ２に通知するため、フェムト基地局装置１の通信制御部１１は、ファイルバージョン通知応答を「ＮＧ」としてＯＰＳ２へ送信する（ステップＳ４０４→Ｓ４１２ａ）。続いて、ファイル取得部１５によって、オペレーション制御に必要なバージョンのファイルを取得するための要求を送信する（ステップＳ４１３）。この要求は、例えば、周知のＦＴＰによって行われる。その後、通信中である場合は、所定時間の待ち合わせ（Time Wait）を行った後（ステップＳ４１４→Ｓ４１５）、通信中でなくなるとファイル更新処理が行われる（ステップＳ４１４→Ｓ４１６）。その後、オペレーション制御部１６によって、オペレーション制御が行われる（ステップＳ４１７）。
【００４３】
以上の第２動作例においては、オペレーション制御指示に、ファイルバージョン情報を含めて送信するため、ＯＰＳ２とフェムト基地局装置１との間の信号授受回数が少なくて済み、ネットワークの帯域圧迫をさらに防ぐことができる。
【００４４】
（第３動作例）
フェムト基地局装置１およびＯＰＳ２の第３動作例について、図６を参照して説明する。図６は、フェムト基地局装置１とＯＰＳ２との間の信号授受、ならびに、フェムト基地局装置１の動作およびＯＰＳ２の動作例を示す図である。フェムト基地局装置１の動作については、ＯＰＳ２とのインタフェース部分（ＯＰＳ  ＩＦ部分）の動作を中心に説明する。
第３動作例では、ファイルのバージョン情報として、メジャーバージョンとマイナーバージョンとを持つようにし、メジャーバージョンのみアップした場合のみ、ファイルを自動で修正する。
【００４５】
最初に、ＯＰＳ２において、ファイル登録処理が行われる（ステップＳ４０１ａ）。このファイル登録処理は、ファイル版数（すなわちファイルバージョン情報）の登録処理と、オペレーション制御に必要なファイル（データ）の登録処理と、を含む。ファイルバージョン情報には、メジャーバージョン情報（本例では「ＸＸ」）とマイナーバージョン情報（本例では「ＹＹ」）とがある。
このファイル登録処理においては、ファイルバージョン情報およびオペレーション制御に必要なファイルが、記憶部２２に格納されることによって行われる。ファイル版数の登録処理では、メジャーバージョン情報およびマイナーバージョン情報が記憶部２２に格納される。
【００４６】
次に、オペレーション制御を実施するため（ステップＳ４０２）、ＯＰＳ２のファイルバージョン情報送信部２４は、フェムト基地局装置１へ、ファイルバージョン情報の通知を送信する（ステップＳ４０３ｂ）。このファイルバージョン情報には、メジャーバージョン情報およびマイナーバージョン情報が含まれている。
【００４７】
フェムト基地局装置１においては、通信制御部１１がファイルバージョン情報の通知を受信すると、バージョン情報取得部１３が記憶部１２から、オペレーション制御に必要なファイルのバージョン情報を取得し、この取得したバージョン情報と通知されたファイルバージョン情報とが一致するかの確認をバージョン確認部１４が行う（ステップＳ４０４ａ）。この確認の際、マイナーバージョン情報は考慮せず、メジャーバージョン情報同士が一致するかの確認が行われる。すなわち、メジャーバージョン情報が一致すれば、マイナーバージョン情報が不一致であっても、バージョン情報同士が一致しているとみなす。
【００４８】
バージョン確認部１４による確認の結果、通知されたバージョン情報と記憶部１２に記憶されているファイルのバージョン情報とが一致している場合、一致していることをＯＰＳ２に通知するため、フェムト基地局装置１の通信制御部１１は、ファイルバージョン通知応答を「ＯＫ」としてＯＰＳ２へ送信する（ステップＳ４０４ａ→Ｓ４０５）。ＯＰＳ２においては、通信制御部２１によって、このファイルバージョン通知応答を受信すると、オペレーション制御部２３によってオペレーション制御指示を送信する（ステップＳ４０６）。
【００４９】
フェムト基地局装置１においては、通信制御部１１によってオペレーション制御指示を受信すると、オペレーション制御部１６によって、ファイル更新中でなく、かつ、オペレーション制御に対応したファイルバージョンであると判断された場合に限り（ステップＳ４０７→Ｓ４０９）、オペレーション制御が行われる（ステップＳ４１１）。
【００５０】
オペレーション制御部１６によって、ファイル更新中であると判断された場合、通信制御部１１は、オペレーション制御応答を「ファイル更新中ＮＧ」としてＯＰＳ２へ送信する（ステップＳ４０７→Ｓ４０８）。また、オペレーション制御部１６によって、オペレーション制御に対応したファイルバージョンでないと判断された場合、通信制御部１１は、オペレーション制御応答を「ファイル版数ＮＧ」としてＯＰＳ２へ送信する（ステップＳ４０９→Ｓ４１０）。
【００５１】
ステップＳ４０４によるバージョン確認部１４による確認の結果、通知されたバージョン情報と記憶部１２に記憶されているファイルのバージョン情報とが一致していない場合（不一致である場合）、不一致であることをＯＰＳ２に通知するため、フェムト基地局装置１の通信制御部１１は、ファイルバージョン通知応答を「ＮＧ」としてＯＰＳ２へ送信する（ステップＳ４０４→Ｓ４１２）。続いて、ファイル取得部１５によって、オペレーション制御に必要なバージョンのファイルを取得するための要求を送信する（ステップＳ４１３）。この要求は、例えば、周知のＦＴＰによって行われる。その後、通信中である場合は、所定時間の待ち合わせ（Time Wait）を行った後（ステップＳ４１４→Ｓ４１５）、通信中でなくなるとファイル更新処理が行われる（ステップＳ４１４→Ｓ４１６）。
【００５２】
更新されたファイルは、そのファイルのバージョンを示すバージョン情報と共に記憶部１２に記憶される。
以上の第３動作例によれば、オペレーション前に自動でファイルバージョン確認を行い、ファイルバージョンのうちメジャーバージョンが異なる場合は、ファイル更新を実施することにより、必要なときに必要な装置のみに更新をかけることができるので、ネットワークの帯域圧迫をさらに防ぐことができる。
【００５３】
（オペレーション制御方法） 
以上説明したフェムト基地局装置およびＯＰＳにおいては、以下のようなオペレーション制御方法が実現されている。すなわち、フェムト基地局装置のオペレーション制御を行う前に、そのオペレーション制御に必要なファイルのバージョン情報を前記フェムト基地局装置へ送信する第１ステップと、前記オペレーション制御に必要なファイルのバージョン情報が、前記フェムト基地局装置に記憶されているバージョン情報と一致していない場合に、前記オペレーション制御に必要なバージョン情報のファイルを、前記フェムト基地局装置に送信する第２ステップと、を含むことを特徴とするオペレーション制御方法が実現されている。
【００５４】
このオペレーション制御方法によれば、オペレーション制御前に自動でファイルバージョン確認を行い、ファイルバージョンが異なる場合は、ファイル更新を実施することにより、必要なときに必要な装置のみに更新をかけることができるので、ネットワークの帯域圧迫を防ぐことができる。
【００５５】
（まとめ）
上述したフェムト基地局装置を用いることにより、オペレーション前に自動でファイルバージョン確認を行い、ファイルバージョンが異なる場合は、ファイル更新を実施することにより、必要なときに必要な装置のみに更新をかけることができるので、ネットワークの帯域圧迫を防ぐことができる。また、ファイルバージョンが異なる場合は、オペレーション前にファイル更新を実施することにより、必ずオペレーション実行時には最新ファイルとなっており、フェムト基地局装置に対して最新ファイルバージョンでの制御を実施することができる。
【００５６】
さらに、事前にファイルを登録しておくのみで、制御したいフェムト基地局装置についてのみファイルを更新することができ、オペレータがネットワーク帯域を意識したファイル更新作業を行う必要はない。例えば、夜間帯などのトラヒック閑散期をターゲットとした自動ファイル更新などは不要となる。
また、上述した第２動作例のように、オペレーション制御のための信号内にファイルバージョンを確認するためのバージョン情報を組み込むことにより、ファイルバージョンの確認による信号のやりとりをなくすことができる。これにより、ネットワーク負荷をさらに低減することができる。
【００５７】
先述した非特許文献２では、ユーザが選定したタイミング（例えば、１日に１回の更新）を行うことができるが、オペレーションシステムが制御したいタイミングとは異なるタイミングとなる可能性があり、正常に制御できない時間帯が発生する。また、ユーザが多数存在している場合、フェムト基地局装置とオペレーションシステムとの間に多数の信号が発生することにより、回線圧迫や装置の拡張が必要になる等の新たなる問題が発生する。
【００５８】
これに対し、本実施形態によれば、ネットワーク側がコントロールしたいタイミングに装置のファームウェア更新を行うことができる。しかも、必要なときに必要な装置のみに更新をかけることができるので、ファームウェア更新のためのネットワークの帯域圧迫を防ぐことができる。
また、先述した特許文献１ではネットワーク側から一定のタイミングで更新処理を行うが、バージョン情報の確認は行われない。これに対し、本実施形態によれば、バージョン情報を確認し、ファイルバージョンが異なる場合は、ファイル更新を実施することにより、必要なときに必要な装置のみに更新をかけることができるので、ネットワークの帯域圧迫を防ぐことができる。
【００５９】
なお、本発明の範囲は、図示され記載された例示的な実施形態に限定されるものではなく、本発明が目的とするものと均等な効果をもたらすすべての実施形態をも含む。さらに、本発明の範囲は、請求項により画される発明の特徴の組み合わせに限定されるものではなく、すべての開示されたそれぞれの特徴のうち特定の特徴のあらゆる所望する組み合わせによって画されうる。
【産業上の利用可能性】
【００６０】
本発明は、フェムト基地局装置について、オペレーション制御を行う場合に利用できる。
【符号の説明】
【００６１】
１  フェムト基地局装置
２  オペレーションシステム（ＯＰＳ）
３  移動通信端末装置
１１  通信制御部
１２  記憶部
１３  バージョン情報取得部
１４  バージョン確認部
１５  ファイル取得部
１６  オペレーション制御部
２１  通信制御部
２２  記憶部
２３  オペレーション制御部
２４  ファイルバージョン情報送信部
２５  ファイル送信部 
【図１】
2013121761.tif 000003
【図２】
2013121761.tif 000004
【図３】
2013121761.tif 000005
【図４】
2013121761.tif 000006
【図５】
2013121761.tif 000007
【図６】
2013121761.tif 000008
【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
オペレーション制御に必要なファイルを、そのファイルのバージョンを示すバージョン情報と共に記憶する記憶部と、
ファイルバージョン情報を含み、オペレーション制御を行うためのオペレーション制御指示を受信する通信制御部と、
前記通信制御部が前記ファイルバージョン情報を含む前記オペレーション制御指示を受信すると、前記オペレーション制御指示から、オペレーション制御に必要なファイルのバージョン情報を取得するバージョン情報取得部と、
前記バージョン情報取得部によって取得されたバージョン情報が、前記記憶部に記憶されているファイルのバージョン情報と一致するかの確認を行うバージョン確認部と、
前記バージョン確認部によってバージョン情報の一致が確認された場合に、オペレーション制御を行うオペレーション制御部と、を含むことを特徴とするフェムト基地局装置。
【請求項２】
前記バージョン確認部によってバージョン情報の不一致が確認された場合、前記オペレーション制御に必要なバージョンのファイルを取得するファイル取得部を更に含むことを特徴とする請求項１に記載のフェムト基地局装置。
【請求項３】
前記バージョン情報取得部は、オペレーション制御や致命的なセキュリティの改善を実施した場合にアップするメジャーバージョン情報と、オペレーション制御や致命的なセキュリティの改善を含まない簡易なバージョンアップ時のみにアップするマイナーバージョン情報からなるバージョン情報とを取得し、
前記バージョン確認部は、前記バージョン情報取得部によって取得された前記メジャーバージョン情報のみが、前記記憶部に記憶されているファイルのメジャーバージョン情報と一致するかの確認を行うことを特徴とする請求項１又は２に記載のフェムト基地局装置。
【請求項４】
フェムト基地局装置についてオペレーション制御を行うオペレーションシステムであって、
オペレーション制御を行う前に、そのオペレーション制御に必要なファイルのバージョン情報を、請求項１から請求項３までのいずれか１項に記載のフェムト基地局装置へ送信するファイルバージョン情報送信部と、
前記フェムト基地局装置へオペレーション制御指示を送信するオペレーション制御部と
を含むことを特徴とするオペレーションシステム。
【手続補正２】
【補正対象書類名】明細書
【補正対象項目名】００１１
【補正方法】変更
【補正の内容】
【００１１】
以上の課題を解決するため、本発明の一態様によるフェムト基地局装置は、オペレーション制御に必要なファイルを、そのファイルのバージョンを示すバージョン情報と共に記憶する記憶部と、ファイルバージョン情報を含み、オペレーション制御を行うためのオペレーション制御指示を受信する通信制御部と、前記通信制御部が前記ファイルバージョン情報を含む前記オペレーション制御指示を受信すると、前記オペレーション制御指示から、オペレーション制御に必要なファイルのバージョン情報を取得するバージョン情報取得部と、前記バージョン情報取得部によって取得されたバージョン情報が、前記記憶部に記憶されているファイルのバージョン情報と一致するかの確認を行うバージョン確認部と、前記バージョン確認部によってバージョン情報の一致が確認された場合に、オペレーション制御を行うオペレーション制御部と、を含むことを特徴とする。このような構成によれば、オペレーション前に自動でファイルバージョン確認を行い、必要なときに必要な装置のみに更新をかけることができるので、ネットワークの帯域圧迫を防ぐことができる。また、このような構成によれば、オペレーション制御指示に、ファイルバージョン情報を含めて送信するため、オペレーションシステムとフェムト基地局装置との間の信号授受回数が少なくて済み、ネットワークの帯域圧迫をさらに防ぐことができる。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
さらに、前記バージョン情報取得部は、オペレーション制御や致命的なセキュリティの改善を実施した場合にアップするメジャーバージョン情報と、オペレーション制御や致命的なセキュリティの改善を含まない簡易なバージョンアップ時のみにアップするマイナーバージョン情報からなるバージョン情報とを取得し、前記バージョン確認部は、前記バージョン情報取得部によって取得された前記メジャーバージョン情報のみが、前記記憶部に記憶されているファイルのメジャーバージョン情報と一致するかの確認を行うのが望ましい。このような構成によれば、ファイルバージョンのうちメジャーバージョンが異なる場合は、ファイル更新を実施し、マイナーバージョンが異なる場合はファイル更新を実施しないことにより、必要なときに必要な装置のみに更新をかけることができるので、ネットワークの帯域圧迫をさらに防ぐことができる。
【国際調査報告】
2013121761.tif 000009
2013121761.tif 000010